(57)【特許請求の範囲】
【請求項１】
絶縁性本体と、
前記絶縁性本体に固着される固定部と、上下方向に沿って弾性変形可能な弾性片と、前記固定部から延出する半田接続部と、を有する複数の端子と、
前記絶縁性本体を遮蔽するハウジングと、を備え、
前記絶縁性本体とハウジングとの間には収納孔が形成され、各端子が、前記弾性片に設けられ、且つ前記収納孔に向かって突出する接触部を有し、前記弾性片が折り曲げられて、前記接触部が前記固定部とは異なった高さの平面に位置し、前記弾性片には、カードの挿入方向に沿って前記接触部の前端と後端とに位置する前端点と後端点とが設けられており、
前記複数の端子のうちの前記カードの挿入方向において隣接する二つの端子の延在方向は異なることを特徴とするカードコネクタ。
【請求項２】
前記弾性片は前端で連接する一対の弾性ビームを有し、前記接触部が、前記一対の弾性ビームの前端に設けられ、前記前端点と後端点とはそれぞれ、前記二つの弾性ビームに配置され、前記一対の弾性ビームが、前記カードの挿入方向と直交する横方向において、前記接触部の同側に配置されることを特徴とする請求項１に記載のカードコネクタ。
【請求項３】
前記各弾性ビームは、第１ビーム部と、前記第１ビーム部と前記固定部とを連接する第２ビーム部と、を有し、
前記第１ビーム部と第２ビーム部とはそれぞれ、前記異なる平面に位置し、前記第１ビーム部の前記カードの挿入方向における直立平面に対する角度は、第２ビーム部の前記カードの挿入方向における直立平面に対する角度と異なり、
前記一対の第１ビームはＶ字状に形成され、或いは弓形に形成されることを特徴とする請求項２に記載のカードコネクタ。
【請求項４】
前記絶縁性本体は複数の端子孔が形成される基部を有し、前記弾性片は、前記端子孔から露出され、前記一対の弾性ビームを連接する連接部を有することを特徴とする請求項２に記載のカードコネクタ。
【請求項５】
前記連接部は、前記固定部と連接し、或いは前記固定部から離れることを特徴とする請求項４に記載のカードコネクタ。
【請求項６】
前記一対の第２ビームは、前記絶縁性本体の基部の上表面に対して突出しなく、前記絶縁性本体の基部の上表面と平行であることを特徴とする請求項４に記載のカードコネクタ。
【請求項７】
前記ハウジングは、天板と、前記天板の両側から下向きに延在する側板と、を備え、前記天板には、前記収納孔に向かって突出する弾性変形可能な凸状部片を有する係合部が設けられ、前記側板には、前記収納孔に向かって延在する係合片が設けられ、前記係合片には、前記凸状部片の下に位置する突出部が設けられ、前記カードを前記カードコネクタ内に装着するための挿入部材の上下表面には、前記凸状部片と前記突出部とにそれぞれ係合する係合溝が形成されることを特徴とする請求項１に記載のカードコネクタ。
【発明の詳細な説明】
【技術分野】
【０００１】
本発明は、カードコネクタに関し、特に、端子が破損し難くなっているカードコネクタに関するものである。
【背景技術】
【０００２】
従来のカードコネクタは、絶縁性本体と、前記絶縁性本体に固着される複数の端子と、前記絶縁性本体を遮蔽するハウジングと、を備える。前記端子は、カードの挿入方向に向かって延在する弾性片と、前記絶縁性本体に固着される固定部と、前記固定部から延在する半田接続部と、を備える。前記弾性片には、上向きに突出する接触部が設けられる。
【先行技術文献】
【特許文献】
【０００３】
【特許文献１】中国特許出願公開第１０３０５０８０６号明細書
【特許文献２】米国特許第７９６７６４０号明細書
【特許文献３】日本特許出願公開第２０１１−１６５５６０号明細書
【発明の概要】
【発明が解決しようとする課題】
【０００４】
従来技術の弾性片がカードの挿入方向に向かって延在する。カード或いはカードを保持する挿入部材が抜き出す場合、前記端子の接触部は、カード或いはカードを保持する挿入部材に接触され、抜出方向に向かって傾斜する。長期に渡って使用した場合、前記端子は、変形、更に破損し易い。
【０００５】
そこで、本発明の目的は、端子の変形或いは破損を阻止するカードコネクタを提供することにある。
【課題を解決するための手段】
【０００６】
前記目的を達成するために、本発明のカードコネクタは、絶縁性本体と、複数の端子と、前記絶縁性本体を遮蔽するハウジングと、を備える。各端子は、前記絶縁性本体に固着される固定部と、上下方向に沿って弾性変形可能な弾性片と、前記固定部から延出する半田接続部と、を有する。前記絶縁性本体とハウジングとの間には収納孔が形成され、各端子が、前記弾性片に設けられ、前記収納孔に向かって突出する接触部を有する。前記弾性片が、折り曲げて異なる平面に位置する。前記弾性片には、カードの挿入方向に沿って前記接触部の前端と後端とに位置する前端点と後端点とが設けられる。
【発明の効果】
【０００７】
従来の技術と比べると、本発明は以下の長所を有する。本発明の端子の接触部が設けられる弾性片は、カードの挿入方向と直交する横方向に沿って延在する。カード或いはカードを保持する挿入部材が抜き出す場合、前記端子の接触部は、抜出方向に向かって傾斜し難くなっている。長期に渡って使用するにしても、前記端子は、変形或いは破損し難くなっている。
【図面の簡単な説明】
【０００８】
【図１】本発明のカードコネクタの組立斜視図である。
【図２】図１に示すカードコネクタの部分の分解斜視図である。
【図３】図２に示すカードコネクタを別の角度から見た部分の分解斜視図である。
【図４】図２に示すカードコネクタの分解斜視図である。
【図５】図４に示す金属片及びスイッチの斜視図である。
【図６】図１に示すカードコネクタのハウジング及び挿入部材が取り外された俯瞰図である。
【図７】図６の線ＶＩ―ＶＩに沿った断面図である。
【発明を実施するための形態】
【０００９】
図１〜図７に示すように、本発明の電気コネクタ１００は、絶縁性本体１と、前記絶縁性本体１に固着される複数の端子２と、スイッチ４と、エジェクター５と、前記絶縁性本体１を遮蔽するハウジング６と、カード（図示せず）を装着する挿入部材７と、を備える。前記絶縁性本体１とハウジング６との間には収納孔１０形成される。
【００１０】
図４に示すように、絶縁性本体１は、基部１１と、前記基部１１の一側から上向きに延在する側壁１２と、基部１１の後端から上向きに延在する後壁１３と、を備える。基部１１の前記一側には第１ギャップ１１１が形成される。前記基部１１の中間には、二つのスロット１１２が形成される。前記スロット１１２の両側には、複数の端子孔１１３が形成される。前記後壁１３には、前記スイッチ４に対応する凹所１３１が形成され、突出柱１３２が設けられる。
【００１１】
図５に示すように、前記金属片３は、前記絶縁性本体１に嵌め込まれる底板３１と、前記底板３１から上向きに延在する複数の側板３２と、を備える。前記金属片３には、前記第１前記ギャップ１１１に対応する第２ギャップ３１１が形成される。図２に示すように、前記側板３２と側壁１２との間には、スリット３０が形成される。
【００１２】
図５に示すように、前記複数の端子２は、金属片３からパンチされる。各端子２は、前記絶縁性本体１に固着される固定部２１と、前記固定部２１と連接され、上下方向に沿って弾性変形可能な、折り曲げて異なる平面に位置する弾性片と、前記弾性片に設けられ、前記収納孔１０に向かって突出する接触部２３と、前記固定部２１から延出して前記スロット１１２に露出する半田接続部２４と、を備える。
【００１３】
前記弾性片は前端で連接する一対の弾性ビーム２２と、前記一対の弾性ビーム２２を連接する連接部２５と、を有する。前記接触部２３が、前記一対の弾性ビーム２２の前端に設けられる。前記各弾性ビーム２２は、第１ビーム部２２１と、前記第１ビーム部２２１と前記固定部２１とを連接する第２ビーム部２２２と、を有する。前記第１ビーム部２２１と第２ビーム部２２２とはそれぞれ、異なる平面に位置する。前記第１ビーム部２２１の前記カードの挿入方向における直立平面に対する角度は、第２ビーム部２２２の前記カードの挿入方向における直立平面に対する角度と異なる。前記各第１ビーム２２１は、直線に形成される。前記一対の第１ビーム２２１は、Ｖ字状に形成される。他の実施において、前記第１ビーム２２１は、弓形に形成される。前記連接部２５は、二つで設置され、一方の連接部２５が前記固定部２１と連接し、他方の連接部２５が、前記固定部２１から離れる。他の実施形態において、前記連接部２５は、前記固定部２１から離れ、或いは前記固定部２１と連接する。前記第一対の第２ビーム２２２は、前記絶縁性本体１の基部１１の上表面１１０に対して窪み、或いは基部１１の上表面１１０と面一になる。前記第一対の第２ビーム２２２は、前記絶縁性本体の基部１１の上表面１１０と平行である。
【００１４】
図６に示すように、弾性片は、前記カードの挿入方向と直交する横方向に向かって延在する。前記二つの弾性ビーム２２には、カードの挿入方向に沿って前記接触部２３の前端と後端とに位置する前端点と後端点とが設けられる。前記前端点と後端点とは、前記横方向において、前記接触部２３の同側に配置される。
【００１５】
図２〜図４に示すように、前記スイッチ４は、前記金属片３に設けられる固定端子４２と、前記絶縁性本体１の凹所１３１に位置し、前記固定端子４２と接触する可動端子４１と、を備える。前記挿入部材７が予定の位置まで挿入される場合、前記可動端子４１は前記挿入部材７に押圧され、前記固定端子４２から離れる。
【００１６】
前記エジェクター５は、前記突出柱１３２に装着する回転部５２と、前記スリット３０に収納されるレバー５１と、を備える。
【００１７】
前記ハウジング６は、天板６１と、前記天板６１の両側から下向きに延在する一対の側板６２と、を備える。前記天板６１には、前記収納孔１０に向かって突出する弾性変形可能な凸状部片６１１１を有する係合部６１１が設けられる。前記側板６２には、前記収納孔１０に向かって延在する係合片６２１が設けられる。前記係合片６２１には、上向きに突出する突出部６２１１が設けられる。前記係合片６２１が、前記係合部６１１の下に位置する。前記突出部６２１１が、前記凸状部片６１１１の下に位置する。前記係合部６１１と係合片６２１とはそれぞれ、両端に固着される。前記突出部６２１１は、前記第１ギャップ１１１と前記第２ギャップ３１１から前記収納孔１０に向かって突出する。
【００１８】
図１〜図４に示すように、前記挿入部材７は、主体部７１と、前記主体部７１と連接する操作部７２と、を備える。前記主体部７１は、金属部材から製造される保持部７１３と、前記保持部７１３とともにインサートモールド成型によって製造される一対の側部７１１及び端部７１２と、を備える。前記保持部７１３と、一対の側部７１１と、端部７１２と、によって、カードを挿入する挿入孔７０が形成される。前記挿入孔７０は、バリア７１３１によって、異なるＳＩＭカードをそれぞれ挿入する第１挿入孔７０１及び第２挿入孔７０２が形成される。
【００１９】
各側部７１１には、前記操作部７２から離れる一端の上下表面において、前記凸状部片６１１１と前記突出部６２１１とにそれぞれ係合する係合溝７１１１が形成される。挿入部材７は、前記収納孔１０に安定に固着される。
【００２０】
端子２の接触部２３が設けられる弾性片は、カードの挿入方向と直交する横方向に沿って延在する。挿入部材７が抜き出される場合、前記端子２の接触部２３は、抜出方向に向かって傾斜し難くなっている。長期に渡って使用するにしても、前記端子２は、変形或いは破損し難くなっている。前記第１ビーム部２２２と第２ビーム部２２１とはそれぞれ、異なる平面に位置する。これにより、挿入部材７が挿入される時、端子２に対して、良い弾力を具備する。挿入部材７が抜き出される場合、更に変形し難くなっている。
【００２１】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２２】
１００  カードコネクタ
１  絶縁性本体
１０  収納孔
１１  基部
１１０  上表面
１１１  第１ギャップ
１１２  スロット
１１３  端子孔
１２  側壁
１３  後壁
１３１  凹所
１３２  突出柱
２  端子
２１  固定部
２２  弾性ビーム
２２０１  前端点
２２０２  後端点
２２１  第２ビーム部
２２２  第１ビーム部
２３  接触部
２４  半田接続部
２５  連接部
３  金属片
３０  スリット
３１  底板
３１１  第２ギャップ
３２  側板
４  スイッチ
４１  可動端子
４２  固定端子
５  エジェクター
５１  レバー
５２  回転部
６  ハウジング
６１  天板
６１１  係合部
６１１１  凸状部片
６２  側板
６２１  係合片
７  挿入部材
７０  挿入孔
７０１  第１挿入孔
７０２  第２挿入孔
７１  主体部
７１１  側部
７１１１  係合溝
７１２  端部
７１３  保持部
７１３１  バリア
７２  操作部
【図１】
0006272262.tif 000002
【図２】
0006272262.tif 000003
【図３】
0006272262.tif 000004
【図４】
0006272262.tif 000005
【図５】
0006272262.tif 000006
【図６】
0006272262.tif 000007
【図７】
0006272262.tif 000008